【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
少なくとも二器の反応器を直列に用いて、下記一般式（１）で表されるジヒドロキシ化合物を含むジヒドロキシ化合物と炭酸ジエステルとを溶融重縮合してポリカーボネートを製造するに際し、反応器におけるポリマー温度と加熱媒体の温度差を、生成したポリカーボネートの還元粘度が０．１０ｄｌ／ｇ以下のときは８０℃以下とし、還元粘度が０．１０ｄｌ／ｇを超え０．４０ｄｌ／ｇ以下のときは６０℃以下とし、還元粘度が０．４０ｄｌ／ｇを超えるときは４０℃以下とすることを特徴とするポリカーボネートの製造方法。
【化１】
2009161745.tif 000001
【請求項２】
第１段目の反応器におけるポリマー温度と加熱媒体の温度差を、生成したポリカーボネートの還元粘度が０．１０ｄｌ／ｇ以下のときは８０℃以下とし、還元粘度が０．１０ｄｌ／ｇを超え０．４０ｄｌ／ｇ以下のときは６０℃以下とし、還元粘度が０．４０ｄｌ／ｇを超えるときは４０℃以下とする、請求項１に記載の方法。
【請求項３】
最終段の反応器におけるポリマー温度と加熱媒体の温度差を、生成したポリカーボネートの還元粘度が０．３０ｄｌ／ｇ以下のときは６０℃以下とし、還元粘度が０．３０ｄｌ／ｇを超え０．４０ｄｌ／ｇ以下のときは５０℃以下とし、還元粘度が０．４０ｄｌ／ｇを超えるときは４０℃以下とする、請求項１または２に記載の方法。
【請求項４】
ジヒドロキシ化合物が、さらに、脂環式ジヒドロキシ化合物、脂肪族ジヒドロキシ化合物、オキシアルキレングリコール類、芳香族ジヒドロキシ化合物及び環状エーテル構造を有するジオール類よりなる群から選ばれる少なくとも１種のジヒドロキシ化合物を含む、請求項１から３のいずれか１項に記載の方法。
【請求項５】
全ジヒドロキシ化合物に対する一般式（１）で表されるジヒドロキシ化合物の割合が１０モル％以上である、請求項１から４のいずれか１項に記載の方法。
【請求項６】
加熱媒体の温度が２７０℃以下である、請求項１から５のいずれか１項に記載の方法。
【請求項７】
請求項１から６のいずれか１項に記載の方法により得られることを特徴とするポリカーボネート。
【請求項８】
還元粘度が０．４０ｄｌ／ｇ以上１．７０以下であり、蟻酸含有量が５重量ｐｐｍ未満である、請求項７に記載のポリカーボネート。
【請求項９】
末端フェニル基濃度が３０μｅｑ／ｇ以上である、請求項７または８に記載のポリカーボネート。
【請求項１０】
フェノール含有量が５００重量ｐｐｍ以下である、請求項７から９のいずれか１項に記載のポリカーボネート。
【請求項１１】
下記構造式（Ａ）で表される末端二重結合の含有量が１０μｅｑ／ｇ以下である、請求項７から１０のいずれか１項に記載のポリカーボネート。
【化２】
2009161745.tif 000002
【請求項１２】
請求項７から１１のいずれか１項に記載のポリカーボネート又はその組成物からなることを特徴とする成形物。
【請求項１３】
成形物がフィルム又はシートである、請求項１２に記載の成形物。
【請求項１４】
成形物が容器である、請求項１２または１３に記載の成形物。
【請求項１５】
成形物が光学材料又は光学部品である、請求項１２から１４のいずれか１項に記載の成形物。
【請求項１６】
成形物がレンズである、請求項１２から１５のいずれか１項に記載の成形物。
【請求項１７】
成形物が光学用フィルムである、請求項１２から１６のいずれか１項に記載の成形物。
【請求項１８】
請求項１７に記載の成形物を用いたことを特徴とする表示装置。
【手続補正２】
【補正対象書類名】明細書
【補正対象項目名】０００９
【補正方法】変更
【補正の内容】
【０００９】
［１］少なくとも二器の反応器を直列に用いて、下記一般式（１）で表されるジヒドロキシ化合物を含むジヒドロキシ化合物と炭酸ジエステルとを溶融重縮合してポリカーボネートを製造するに際し、反応器におけるポリマー温度と加熱媒体の温度差を、生成したポリカーボネートの還元粘度が０．１０ｄｌ／ｇ以下のときは８０℃以下とし、還元粘度が０．１０ｄｌ／ｇを超え０．４０ｄｌ／ｇ以下のときは６０℃以下とし、還元粘度が０．４０ｄｌ／ｇを超えるときは４０℃以下とすることを特徴とするポリカーボネートの製造方法。
【化１】
2009161745.tif 000003
【手続補正３】
【補正対象書類名】明細書
【補正対象項目名】００１０
【補正方法】変更
【補正の内容】
【００１０】
［２］第１段目の反応器におけるポリマー温度と加熱媒体の温度差を、生成したポリカーボネートの還元粘度が０．１０ｄｌ／ｇ以下のときは８０℃以下とし、還元粘度が０．１０ｄｌ／ｇを超え０．４０ｄｌ／ｇ以下のときは６０℃以下とし、還元粘度が０．４０ｄｌ／ｇを超えるときは４０℃以下とする、［１］に記載の方法。
【手続補正４】
【補正対象書類名】明細書
【補正対象項目名】００１１
【補正方法】変更
【補正の内容】
【００１１】
［３］最終段の反応器におけるポリマー温度と加熱媒体の温度差を、生成したポリカーボネートの還元粘度が０．３０ｄｌ／ｇ以下のときは６０℃以下とし、還元粘度が０．３０ｄｌ／ｇを超え０．４０ｄｌ／ｇ以下のときは５０℃以下とし、還元粘度が０．４０ｄｌ／ｇを超えるときは４０℃以下とする、［１］または［２］に記載の方法。
【手続補正５】
【補正対象書類名】明細書
【補正対象項目名】００１２
【補正方法】変更
【補正の内容】
【００１２】
［４］ジヒドロキシ化合物が、さらに、脂環式ジヒドロキシ化合物、脂肪族ジヒドロキシ化合物、オキシアルキレングリコール類、芳香族ジヒドロキシ化合物及び環状エーテル構造を有するジオール類よりなる群から選ばれる少なくとも１種のジヒドロキシ化合物を含む、［１］から［３］のいずれか１項に記載の方法。
【手続補正６】
【補正対象書類名】明細書
【補正対象項目名】００１３
【補正方法】変更
【補正の内容】
【００１３】
［５］全ジヒドロキシ化合物に対する一般式（１）で表されるジヒドロキシ化合物の割合が１０モル％以上である、［１］から［４］のいずれか１項に記載の方法。
【手続補正７】
【補正対象書類名】明細書
【補正対象項目名】００１４
【補正方法】変更
【補正の内容】
【００１４】
［６］加熱媒体の温度が２７０℃以下である、［１］から［５］のいずれか１項に記載の方法。
【手続補正８】
【補正対象書類名】明細書
【補正対象項目名】００１５
【補正方法】変更
【補正の内容】
【００１５】
［７］［１］から［６］のいずれか１項に記載の方法により得られることを特徴とするポリカーボネート。
【手続補正９】
【補正対象書類名】明細書
【補正対象項目名】００１６
【補正方法】変更
【補正の内容】
【００１６】
［８］還元粘度が０．４０ｄｌ／ｇ以上１．７０以下であり、蟻酸含有量が５重量ｐｐｍ未満である、［７］に記載のポリカーボネート。
【手続補正１０】
【補正対象書類名】明細書
【補正対象項目名】００１７
【補正方法】変更
【補正の内容】
【００１７】
［９］末端フェニル基濃度が３０μｅｑ／ｇ以上である、［７］または［８］に記載のポリカーボネート。
［１０］フェノール含有量が５００重量ｐｐｍ以下である、［７］から［９］のいずれか１項に記載のポリカーボネート。
【手続補正１１】
【補正対象書類名】明細書
【補正対象項目名】００１８
【補正方法】変更
【補正の内容】
【００１８】
［１１］下記構造式（Ａ）で表される末端二重結合の含有量が１０μｅｑ／ｇ以下である、［７］から［１０］のいずれか１項に記載のポリカーボネート。
【化２】
2009161745.tif 000004
［１２］［７］から［１１］のいずれか１項に記載のポリカーボネート又はその組成物からなることを特徴とする成形物。
【手続補正１２】
【補正対象書類名】明細書
【補正対象項目名】００１９
【補正方法】変更
【補正の内容】
【００１９】
［１３］成形物がフィルム又はシートである、［１２］に記載の成形物。 
［１４］成形物が容器である、［１２］または［１３］に記載の成形物。 
［１５］成形物が光学材料又は光学部品である、［１２］から［１４］のいずれか１項に記載の成形物。 
【手続補正１３】
【補正対象書類名】明細書
【補正対象項目名】００２０
【補正方法】変更
【補正の内容】
【００２０】
［１６］成形物がレンズである、［１２］から［１５］のいずれか１項に記載の成形物。
［１７］成形物が光学用フィルムである、［１２］から［１６］のいずれか１項に記載の成形物。 
【手続補正１４】
【補正対象書類名】明細書
【補正対象項目名】００２１
【補正方法】変更
【補正の内容】
【００２１】
［１８］［１７］に記載の成形物を用いたことを特徴とする表示装置。